(57)【要約】【課題】ホイールが作物をかき込む際に作物を土で汚すのが抑制される。【解決手段】白菜収穫機１は、圃場の白菜をかき込むホイール１０Ｌ及び１０Ｒからなる掻込ホイール対１０と、掻込ホイール対１０がかき込んだ白菜を後方へと搬送する挟持搬送部２０と、ホイール１０Ｌの上方に配置された円盤部１０１Ｌと、ホイール１０Ｒの上方に配置された円盤部１０１Ｒとを備えている。円盤部１０１Ｌ及び１０１Ｒは、ホイール１０Ｌ及び１０Ｒとは反対方向に回転することで、これらのホイールの上面への土の付着を抑制する。【選択図】図２
2018126098.tif 000002
【特許請求の範囲】
【請求項１】
水平面と交差する回転軸に関してそれぞれ回転する第１及び第２のホイールからなるホイール対と、
前記第１及び第２のホイールを回転させることで前記ホイール対に圃場から作物をかき込ませる第１の回転駆動手段と、
前記ホイール対がかき込んだ作物を後方へと搬送する作物搬送部と、
前記第１のホイールの上方に配置された第１の回転体と、
前記第２のホイールの上方に配置された第２の回転体と、
前記第１の回転体を前記第１のホイールと反対方向に回転させると共に、前記第２の回転体を前記第２のホイールと反対方向に回転させることで、前記第１及び第２のホイールの上面への土の付着を抑制する第２の回転駆動手段とを備えていることを特徴とする収穫機。
【請求項２】
前記第１の回転体が、前記第１のホイールの上面と対向した下面を有する板部材であり、
前記第２の回転体が、前記第２のホイールの上面と対向した下面を有する板部材であることを特徴とする請求項１に記載の収穫機。
【請求項３】
前記第１及び第２のホイールのそれぞれにおける周縁に、その回転軸と交差する交差方向に関して外側に突出した作物のかき込み用の複数の突起が設けられており、
作物をかき込む位置にある前記突起が、前記回転軸に対して前記第１及び第２の回転体よりも外側に突出し、且つ、作物をかき込む位置以外のいずれかにある前記突起が、前記交差方向に関して前記第１及び第２の回転体の内側に配置されるように、前記第１及び第２の回転体並びに前記ホイール対が配置されていることを特徴とする請求項１又は２に記載の収穫機。
【請求項４】
前記作物搬送部が、作物を挟持しつつ走行する一対の搬送ベルトを有しており、
前記第２の回転駆動手段が、
前記一対の搬送ベルトの一方と接触し、その搬送ベルトの走行に連動して回転する第３の回転体と、
前記第３の回転体の回転運動を前記第１及び第２の回転体の少なくともいずれかに伝達する伝達手段とを有していることを特徴とする請求項１〜３のいずれか１項に記載の収穫機。
【請求項５】
水平面と交差する回転軸に関してそれぞれ回転する第１及び第２のホイールからなるホイール対と、前記第１及び第２のホイールを回転させることで前記ホイール対に圃場から作物をかき込ませる第１の回転駆動手段と、前記ホイール対がかき込んだ作物を後方へと搬送する作物搬送部とを備えている収穫機に用いられる補助装置であって、
前記第１のホイールの上方に配置される第１の回転体と、
前記第２のホイールの上方に配置される第２の回転体と、
前記第１の回転体を前記第１のホイールと反対方向に回転させると共に、前記第２の回転体を前記第２のホイールと反対方向に回転させることで、前記第１及び第２のホイールの上面への土の付着を抑制する第２の回転駆動手段とを備えていることを特徴とする収穫機用の補助装置。
【発明の詳細な説明】
【技術分野】
【０００１】
本発明は、収穫機、特に、ホイールを用いて作物をかき込む収穫機及びその補助装置に関する。
【背景技術】
【０００２】
一対のホイールを用いて圃場から作物（結球野菜等）をかき込む特許文献１のような収穫機がある。かかる収穫機においてホイールの上面に付着した土が作物を汚すのを抑制するため、特許文献１では、スクレイパーによってホイールに付着した土を除去している。
【先行技術文献】
【特許文献】
【０００３】
【特許文献１】特開２００１−２５８３５６号公報
【発明の概要】
【発明が解決しようとする課題】
【０００４】
本発明者は、特許文献１のようなスクレイパーでは、ホイールの上面に付着した土が作物を汚すのを十分に回避しにくいことに気付いた。
【０００５】
本発明の目的は、ホイールが作物をかき込む際に作物を土で汚すのが抑制された収穫機及びその補助装置を提供することにある。
【課題を解決するための手段】
【０００６】
本発明の収穫機は、水平面と交差する回転軸に関してそれぞれ回転する第１及び第２のホイールからなるホイール対と、前記第１及び第２のホイールを回転させることで前記ホイール対に圃場から作物をかき込ませる第１の回転駆動手段と、前記ホイール対がかき込んだ作物を後方へと搬送する作物搬送部と、前記第１のホイールの上方に配置された第１の回転体と、前記第２のホイールの上方に配置された第２の回転体と、前記第１の回転体を前記第１のホイールと反対方向に回転させると共に、前記第２の回転体を前記第２のホイールと反対方向に回転させることで、前記第１及び第２のホイールの上面への土の付着を抑制する第２の回転駆動手段とを備えている。
【０００７】
また、本発明の別の観点における収穫機用の補助装置は、水平面と交差する回転軸に関してそれぞれ回転する第１及び第２のホイールからなるホイール対と、前記第１及び第２のホイールを回転させることで前記ホイール対に圃場から作物をかき込ませる第１の回転駆動手段と、前記ホイール対がかき込んだ作物を後方へと搬送する作物搬送部とを備えている収穫機に用いられる補助装置であって、前記第１のホイールの上方に配置される第１の回転体と、前記第２のホイールの上方に配置される第２の回転体と、前記第１の回転体を前記第１のホイールと反対方向に回転させると共に、前記第２の回転体を前記第２のホイールと反対方向に回転させることで、前記第１及び第２のホイールの上面への土の付着を抑制する第２の回転駆動手段とを備えている。
【０００８】
本発明の収穫機又はその補助装置によると、第１及び第２の回転体が第１及び第２のホイールの上方においてホイールとは反対方向に回転することで、ホイール周辺の土をホイールの回転とは反対側へと押し戻す。これにより、特許文献１のような固定式のスクレイパーと比べて効果的にホイールへの土の付着を抑制できる。よって、ホイールが作物をかき込む際に作物を土で汚すのが抑制される。
【０００９】
また、本発明においては、前記第１の回転体が、前記第１のホイールの上面と対向した下面を有する板部材であり、前記第２の回転体が、前記第２のホイールの上面と対向した下面を有する板部材であることが好ましい。これによると、第１及び第２の回転体が板部材であり、板部材の下面が第１及び第２のホイールの上面と対向している。したがって、これらの回転体を回転させると、板部材の広い下面によって効果的に土を押し戻すことができる。
【００１０】
また、本発明においては、前記第１及び第２のホイールのそれぞれにおける周縁に、その回転軸と交差する交差方向に関して外側に突出した作物のかき込み用の複数の突起が設けられており、作物をかき込む位置にある前記突起が、前記回転軸に対して前記第１及び第２の回転体よりも外側に突出し、且つ、作物をかき込む位置以外のいずれかにある前記突起が、前記交差方向に関して前記第１及び第２の回転体の内側に配置されるように、前記第１及び第２の回転体並びに前記ホイール対が配置されていることが好ましい。これによると、作物をかき込む位置以外のいずれかにある突起に対しては第１及び第２の回転体が土の付着を抑制する。一方、作物をかき込む位置にある突起は、第１及び第２の回転体より外側に突出する。したがって、突起が作物をかき込む機能が回転体によって妨げられない。
【００１１】
また、本発明においては、前記作物搬送部が、作物を挟持しつつ走行する一対の搬送ベルトを有しており、前記第２の回転駆動手段が、前記一対の搬送ベルトの一方と接触し、その搬送ベルトの走行に連動して回転する第３の回転体と、前記第３の回転体の回転運動を前記第１及び第２の回転体の少なくともいずれかに伝達する伝達手段とを有していることが好ましい。これによると、第１及び第２の回転体のいずれかの駆動力を容易に確保できる。
【図面の簡単な説明】
【００１２】
【図１】本発明の一実施形態に係る白菜収穫機の左側面図である。
【図２】図１の一点鎖線に囲まれた範囲の拡大図であって、図１の白菜収穫機に搭載された補助装置及びその周辺構成の左側面図である。
【図３】図２の補助装置を白抜き矢印の方向から見た図である。
【図４】図１の白菜収穫機に搭載されたエンジンから各部への動力伝達経路を示す概念図である。
【発明を実施するための形態】
【００１３】
本発明の一実施形態に係る白菜収穫機１について図１〜図４を参照しつつ説明する。白菜収穫機１は、圃場を走行しつつ、図1に示すように圃場に生えた白菜Ｖを収穫する機械である。本実施形態では、圃場に畝Ｕが形成されており、その畝Ｕ上に白菜Ｖが生えている。白菜収穫機１は、図１及び図２に示すように、本体２と、エンジン３と、圃場に生えた白菜Ｖをかき込む掻込ホイール対１０と、掻込ホイール対１０がかき込んだ白菜Ｖを図１の搬送方向Ｘに沿って後方且つ上方へと搬送する挟持搬送部２０及び３０と、挟持搬送部２０及び３０による白菜Ｖの搬送経路の途中に設けられたカッター４０と、本体２の前部に設けられた運転席５０と、掻込ホイール対１０の近傍に設けられた補助装置１００と、クローラ方式の走行部６０と、調製作業が行われる調製部７０とを備えている。なお、白菜収穫機１の構成の一部は、左右一対に設けられている。以下の符号において、Ｌが付くものは左右一対のうち左側の構成を、Ｒが付くものは左右一対のうち右側の構成を示すものとする。また、以下における明細書の前後左右の各方向は、白菜収穫機１の前進方向を向いた人から見た方向とする。白菜Ｖの搬送方向Ｘ及び左右方向の両方と直交する方向を図１に示すようにＺ１及びＺ２とする。Ｚ１は斜め前方且つ上方に向かう方向に対応し、Ｚ２は斜め後方且つ下方に向かう方向に対応する。
【００１４】
エンジン３は、本体２内における運転席５０の下方の位置に設けられている。エンジン３の動力は、ベルト、プーリ、ギア、クラッチ、チェーン等から構成された伝達機構を通じ、図４に示すように、挟持搬送部２０、挟持搬送部３０及び走行部６０のそれぞれに伝達される。エンジン３から挟持搬送部２０に伝達された動力は、後述の通り、さらに掻込ホイール対１０へと伝達される。なお、エンジン３からの動力が油圧駆動系を通じて各部へと伝達されてもよい。
【００１５】
掻込ホイール対１０は、図３に示すように、円盤型のハブ部１０ａを有するホイール１０Ｌ及び１０Ｒからなる。ホイール１０Ｌ及び１０Ｒは左右方向に並んでいる。ホイール１０Ｌ及び１０Ｒのそれぞれは、図１及び図３に示すように、搬送方向Ｘに沿うとともに左右方向に沿った姿勢で配置されている。ハブ部１０ａの円盤の中心には、図２に示すように、Ｚ２方向に沿って延びた軸１１が固定されている。軸１１の下端はプーリ１２と固定されている。ハブ部１０ａの周縁には複数の突起１０ｂが形成されている。各突起１０ｂは、軸１１と直交する方向に関してハブ部１０ａの外側へと突出している。なお、「軸１１と直交する方向」とは、本発明における「回転軸と交差する方向」の一例であり、以下同様である。
【００１６】
挟持搬送部２０は、エンジン３から動力が伝達される左右一対の駆動プーリ（不図示）、従動プーリ２１Ｌ及び２１Ｒ、並びに、搬送方向Ｘに沿って延びた無端の搬送ベルト２２Ｌ及び２２Ｒを有している。一対の駆動プーリは、いずれも挟持搬送部２０の後部に配置されており、左右方向に関して互いに隣り合っている。従動プーリ２１Ｌ及び２１Ｒは、いずれも挟持搬送部２０の前部に配置されており、左右方向に関して互いに隣り合っている。一方の駆動プーリ及び従動プーリ２１Ｌには搬送ベルト２２Ｌが巻き掛けられている。搬送ベルト２２Ｌは、複数のプーリ２３によって搬送ベルト２２Ｒに押し付けられている。他方の駆動プーリ及び従動プーリ２１Ｒには搬送ベルト２２Ｒが巻き掛けられている。搬送ベルト２２Ｒは、複数のプーリ２３によって搬送ベルト２２Ｌに押し付けられている。搬送ベルト２２Ｌ及び２２Ｒのそれぞれには複数の突起２２ａが形成されている。これらの突起２２ａは、ベルトの延びる方向に沿って等間隔に配列されており、ベルトの周回経路の外側に向かって突出している。
【００１７】
挟持搬送部２０の従動プーリ２１Ｌ及び２１Ｒのそれぞれには軸２１ａが固定されている。軸２１ａは、従動プーリ２１Ｌ及び２１Ｒのそれぞれの回転軸に沿っており、Ｚ２方向へと延びている。軸２１ａの下端はプーリ２４と固定されている。プーリ２４は、無端のベルト２５によってプーリ１２と接続されている。
【００１８】
挟持搬送部２０の一対の駆動プーリに動力が伝達されると駆動プーリが回転し、これに伴って搬送ベルト２２Ｌが一方の駆動プーリ及び従動プーリ２１Ｌの周囲を図３のＤ１方向に沿って走行すると共に、搬送ベルト２２Ｒが他方の駆動プーリ及び従動プーリ２１Ｒの周囲を図３のＤ２方向に沿って走行する。搬送ベルト２２Ｌ及び２２Ｒが走行すると、これに連動して従動プーリ２１Ｌ及び２１Ｒが回転し、その回転運動がプーリ２４、ベルト２５及びプーリ１２を介して掻込ホイール対１０に伝達される。これにより、ホイール１０Ｌは図３のＤ３方向に、ホイール１０Ｒは図３のＤ４方向に回転する。このように、本実施形態では、エンジン３及びその動力を掻込ホイール対１０に伝達する挟持搬送部２０、プーリ２４、ベルト２５及びプーリ１２等によって本発明の第１の回転駆動手段の機能が実現している。
【００１９】
挟持搬送部３０は、図１に示すように、挟持搬送部２０からＺ１方向に離隔している。挟持搬送部３０は、挟持搬送部２０と同様、駆動プーリ、従動プーリ及びこれらのプーリの周囲に巻き掛けられた搬送ベルトを左右一対に有している。各搬送ベルトは搬送方向Ｘに沿って延びている。左右一対の搬送ベルトは複数のプーリによって互いに押し付けられている。駆動プーリにはエンジン３から動力が伝達される。これにより、搬送ベルトが搬送方向Ｘに沿って走行する。
【００２０】
補助装置１００は、図２及び図３に示すように、円盤部１０１Ｌ及び１０１Ｒ（第１及び第２の回転体）、プーリ１０２Ｌ及び１０２Ｒ（第３の回転体）、円盤部１０１Ｌ及びプーリ１０２Ｌを回転可能に支持した支持アーム１０３Ｌ、並びに、円盤部１０１Ｒ及びプーリ１０２Ｒを回転可能に支持した支持アーム１０３Ｒを有している。このように、補助装置１００は左右一対の各構成を有している。これらの構成は、左右方向に関してホイール１０Ｌ及び１０Ｒの中間位置を通り搬送方向Ｘに沿った鉛直面に関して対称に配置されている。よって、以下では主に左側の構成について説明し、右側の構成についてはその説明を適宜省略する。
【００２１】
円盤部１０１Ｌはホイール１０Ｌと平行な円盤状の板部材である。その下面はホイール１０Ｌの上面と対向している。円盤部１０１Ｌは、図２に示すように、ホイール１０Ｌの上方に配置され、ホイール１０Ｌから僅かにＺ１方向に離隔している。なお、円盤部１０１Ｌがホイール１０Ｌの上方からホイール１０Ｌに接触していてもよい。円盤部１０１Ｌは軸１０４と固定されている。軸１０４は、回転軸Ａ１に関して回転可能に支持アーム１０３Ｌに支持されている。軸１０４にはプーリ１０６が固定されている。円盤部１０１Ｌは、Ｚ２方向を指示した図２の白抜き矢印に沿って補助装置１００を見た場合に、図３に示す通り、ホイール１０Ｌの大部分と重複している。ホイール１０Ｌにおける一部の突起１０ｂ（図３の一点鎖線の枠内の突起１０ｂ）のみが、軸１０４と直交する方向に対して円盤部１０１Ｌの外側へと突出している。これら一部の突起１０ｂは、ホイール１０Ｌのハブ部１０ａから右斜め前方又は右方へと突出する位置にある。この位置は、後述の通り、突起１０ｂが白菜Ｖをかき込む位置である。その他の位置にある各突起１０ｂは、図３に示すように、軸１０４と直交する方向に対して、全体が、又は、ほぼ全体が円盤部１０１Ｌの内側にある。
【００２２】
プーリ１０２Ｌは軸１０５と固定されている。軸１０５は、図２に示すように、回転軸Ａ２に関して回転可能に支持アーム１０３Ｌに支持されている。プーリ１０２Ｌは複数の歯１０２ａを有している。プーリ１０２Ｌは、歯１０２ａが搬送ベルト２２Ｌの突起２２ａと噛み合うように配置されている。これにより、搬送ベルト２２ＬがＤ１方向に走行すると、それに連動してプーリ１０２Ｌが軸１０５を中心に図３のＤ５方向に回転する。軸１０５にはプーリ１０７が固定されている。プーリ１０６及びプーリ１０７の周囲には無端のベルト１０８が巻き掛けられている。プーリ１０２Ｌの回転運動は、プーリ１０７、ベルト１０８及びプーリ１０６を介して円盤部１０１Ｌに伝達される。これにより、円盤部１０１Ｌは、軸１０４を中心に図３のＤ７方向に回転する。なお、プーリ１０６及び１０７並びにベルト１０８は本発明の伝達手段に対応する。
【００２３】
円盤部１０１Ｌ、プーリ１０２Ｌ及び支持アーム１０３Ｌと対となる円盤部１０１Ｒ、プーリ１０２Ｒ及び支持アーム１０３Ｒも、上記と同様に構成されている。搬送ベルト２２Ｒが図３のＤ２方向に走行すると、それに連動してプーリ１０２Ｒが軸１０５を中心に図３のＤ６方向に回転する。プーリ１０２Ｒの回転運動は、プーリ１０７、ベルト１０８及びプーリ１０６を介して円盤部１０１Ｒに伝達される。これにより、円盤部１０１Ｒは、軸１０４を中心にＤ８方向に回転する。なお、プーリ１０６及び１０７並びにベルト１０８は本発明の伝達手段に対応する。
【００２４】
上記のように、本実施形態では、エンジン３及びその動力を円盤部１０１Ｌ及び１０１Ｒに伝達する挟持搬送部２０、プーリ１０６及び１０７、並びにベルト１０８等によって本発明の第２の回転駆動手段の機能が実現している。
【００２５】
以上の構成において、白菜収穫機１が作動し、エンジン３からの動力が各部に伝達されると、白菜収穫機１が以下のように畝Ｕ上の白菜Ｖを収穫していく。走行部６０は白菜収穫機１を前進させる。これにより、図１に示すように、掻込ホイール対１０が前方の白菜Ｖに接近し、図３に示すホイール１０Ｌ及び１０Ｒの間に白菜Ｖを取り込んでいく。掻込ホイール対１０は、図３のＤ３方向及びＤ４方向に回転する。これに伴ってホイール１０Ｌ及び１０Ｒの突起１０ｂも回転する。そして、突起１０ｂは、図３の一点鎖線の枠に示す範囲においてホイール１０Ｌの左斜め前部及びホイール１０Ｒの右斜め前部から後方に向かって移動する際に白菜Ｖをかき込んで引き抜く。このように掻込ホイール対１０によって引き抜かれた白菜Ｖは、挟持搬送部２０及び３０によって搬送方向Ｘに沿って後方へと搬送される。挟持搬送部２０の搬送ベルト２２Ｌ及び２２Ｒは、白菜Ｖの根茎部Ｖ１を互いの間に挟持しつつ走行する。挟持搬送部３０の左右一対の搬送ベルトは、白菜Ｖの結球部Ｖ０を互いの間に挟持しつつ走行する。根茎部Ｖ１は、挟持搬送部２０及び３０による搬送経路の途中においてカッター４０によって結球部Ｖ０から切り離される。切り離された結球部Ｖ０は挟持搬送部３０によって調製部７０に搬送される。調製部７０では作業者が待機しており、結球部Ｖ０に外葉の除去等の調製作業が施される。
【００２６】
上記のように掻込ホイール対１０が白菜Ｖをかき込んで圃場から引く抜く際、ホイール１０Ｌ及び１０Ｒが白菜Ｖの根茎部Ｖ１と接触する。根茎部Ｖ１は、図1に示すように畝の土の中にかなりの部分が埋没している。このため、ホイール１０Ｌ及び１０Ｒは、根茎部Ｖ１をかき込んで引き抜く際に畝の土に接触しやすい。ホイール１０Ｌ及び１０Ｒが土に接触すると、その上面に土が付着することがある。上面に土が付着したホイール１０Ｌ及び１０Ｒが根茎部Ｖ１をかき込む際に、その上方の結球部Ｖ０の下部にホイール１０Ｌ及び１０Ｒの上面の土が擦りつけられ、結球部Ｖ０の下部が土で汚染されるおそれがある。
【００２７】
これに対し、本実施形態によると、円盤部１０１Ｌ及び１０１Ｒがホイール１０Ｌ及び１０Ｒの上方においてこれらのホイールとは反対方向に回転することで、これらのホイール周辺の土をホイールの回転とは反対側へと押し戻す。したがって、例えば固定式のスクレイパーをホイール１０Ｌ及び１０Ｒの上面に設置する場合と比べ、これらのホイールへの土の付着を効果的に抑制できる。よって、ホイール１０Ｌ及び１０Ｒが根茎部Ｖ１をかき込む際に結球部Ｖ０の下部を土で汚すのが抑制される。
【００２８】
また、本実施形態によると、円盤部１０１Ｌ及び１０１Ｒが板部材であり、その下面がホイール１０Ｌ及び１０Ｒの上面と対向している。円盤部１０１Ｌ及び１０１Ｒは、ホイール１０Ｌ及び１０Ｒから僅かに離隔している。したがって、円盤部１０１Ｌ及び１０１Ｒを回転させると、これらの円盤部とホイール１０Ｌ及び１０Ｒとの僅かな隙間に入り込んでホイール１０Ｌ及び１０Ｒの上面に付着しようとする土を、円盤部１０１Ｌ及び１０１Ｒの広い下面が押し戻す。なお、円盤部１０１Ｌ及び１０１Ｒがホイール１０Ｌ及び１０Ｒと接触している場合には、ホイール１０Ｌ及び１０Ｒの上面に付着しようとする土をより効果的に押し戻すことができる。
【００２９】
また、本実施形態によると、ホイール１０Ｌ又は１０Ｒにおける突起１０ｂのうち、白菜Ｖをかき込む位置にある突起１０ｂ（図３の一点鎖線の枠内の突起部１０ｂ）は、軸１０４と直交する方向に対して円盤部１０１Ｌ又は１０１Ｒの外側へと突出している。一方、その他の位置にある各突起１０ｂは、軸１０４と直交する方向に対して、全体が、又は、ほぼ全体が円盤部１０１Ｌ又は１０１Ｒの内側にある。これによると、白菜Ｖをかき込む位置以外の突起１０ｂに対しては円盤部１０１Ｌ又は１０１Ｒが土の付着を抑制する。一方、白菜Ｖをかき込む位置にある突起１０ｂは、円盤部１０１Ｌ又は１０１Ｒより外側に突出する。したがって、突起１０ｂが白菜Ｖをかき込む機能が円盤部１０１Ｌ又は１０１Ｒによって妨げられない。
【００３０】
また、本実施形態によると、搬送ベルト２２Ｌ及び２２ＲがＤ１及びＤ２方向に走行すると、それに伴うプーリ１０２Ｌ及び１０２Ｒの回転運動が、プーリ１０７、ベルト１０８及びプーリ１０６を介して円盤部１０１Ｌ及び１０１Ｒに伝達される。これによると、円盤部１０１Ｌ及び１０１Ｒの駆動力を容易に確保できる。
【００３１】
以下、上述の実施形態の変形例について説明する。
【００３２】
上述の実施形態では、円盤部１０１Ｌ及び１０１Ｒのいずれも板部材である。しかし、これらの円盤部のすくなくともいずれかが板部材以外の部材であってもよい。例えば、ブロック状の部材や円柱状の部材であってもよい。
【００３３】
また、上述の実施形態では、搬送ベルト２２Ｌ及び２２Ｒの走行に連動して回転するプーリ１０２Ｌ及び１０２Ｒの回転運動を円盤部１０１Ｌ及び１０１Ｒに伝達する構成としている。しかし、円盤部１０１Ｌ及び１０１Ｒを回転させる構成として、これとは異なる構成を設けてもよい。例えば、エンジン３からの動力を搬送ベルト２２Ｌ及び２２Ｒに伝達する経路とは別の経路でエンジン３からの動力を円盤部１０１Ｌ及び１０１Ｒに伝達する構成を設けてもよい。
【００３４】
また、上述の実施形態では、プーリ１０２Ｌ及び１０２Ｒの歯１０２ａと搬送ベルト２２Ｌ及び２２Ｒの突起２２ａとが噛み合うことによりプーリ１０２Ｌ及び１０２Ｒが搬送ベルト２２Ｌ及び２２Ｒの走行に連動する。しかし、このような歯や突起が設けられていなくてもよい。例えば、プーリの周面が搬送ベルトの表面と接触しており、搬送ベルトが走行すると摩擦力によってプーリが搬送ベルトに連動するように搬送ベルト及びプーリが構成されていてもよい。
【００３５】
また、上述の実施形態では、畝Ｕに生えた白菜Ｖを収穫する場合が想定されている。しかし、畝のない圃場に生えた白菜を収穫する場合に本実施形態が適用されてもよい。この場合でも、掻込ホイール対１０が根茎部Ｖ１をかき込む際にホイール１０Ｌ及び１０Ｒに土が付着するおそれがある。このため、本実施形態の補助装置１００にホイール１０Ｌ及び１０Ｒへの土の付着を抑制させることが有効である。
【００３６】
また、上述の実施形態では、白菜の収穫が想定されている。しかし、白菜以外の結球野菜の収穫に本発明が適用されてもよいし、結球野菜以外の作物に本発明が適用されてもよい。どのような作物の収穫機においても、ホイールによる作物のかき込みによってホイールの上面に土が付着するおそれがある場合には本発明の適用が有効である。
【００３７】
上述の実施形態に係る補助装置１００は、当初から白菜収穫機１と一体で実施されてもよいし、補助装置１００が搭載されていない収穫機に後付けで搭載可能なアタッチメント装置として実施されてもよい。
【符号の説明】
【００３８】
Ｖ  白菜
Ｖ０  結球部
Ｖ１  根茎部
１  白菜収穫機
１０  ホイール対
１０Ｌ、１０Ｒ  ホイール
１０ｂ  突起
２０、３０  挟持搬送部
２２Ｌ、２２Ｒ  搬送ベルト
１００  補助装置
１０１Ｌ、１０１Ｒ  円盤部
１０２Ｌ、１０２Ｒ  プーリ
【図１】
2018126098.tif 000003
【図２】
2018126098.tif 000004
【図３】
2018126098.tif 000005
【図４】
2018126098.tif 000006